(57)【要約】【課題】受信環境の変化に応じて迅速にシンボル同期タイミングを調整すること。【解決手段】最良ブランチ検出部が、アンテナ系列の中から受信状況が最も良いアンテナ系列を示す最良アンテナ系列を検出し、同期推定部が、検出された最良アンテナ系列からの受信データに基づいてＦＦＴサンプル周波数およびＦＦＴ開始タイミングを取得し、同期補正部が、取得されたＦＦＴサンプル周波数およびＦＦＴ開始タイミングを最良アンテナ系列以外のアンテナ系列におけるＦＦＴ処理に対して適用するように受信装置を構成する。【選択図】        図２
2010063027.tif 000002
【特許請求の範囲】
【請求項１】
直交周波数分割多重信号を複数のアンテナでそれぞれ受信し、各アンテナ系列の受信データを合成する受信装置であって、
前記アンテナ系列の中から受信状況が最も良いアンテナ系列を示す最良アンテナ系列を検出する検出手段と、
前記検出手段によって検出された前記最良アンテナ系列からの受信データに基づいてＦＦＴサンプル周波数およびＦＦＴ開始タイミングを取得する取得手段と、
前記取得手段によって取得された前記ＦＦＴサンプル周波数および前記ＦＦＴ開始タイミングを前記最良アンテナ系列以外のアンテナ系列におけるＦＦＴ処理に対して適用する適用手段と
を備えたことを特徴とする受信装置。
【請求項２】
前記検出手段は、
前記直交周波数分割多重信号に対して所定のシンボル期間ごとに挿入されているガードインターバルについて、直前のガードインターバルと最新のガードインターバルとの相関値を前記アンテナ系列ごとに算出し、最も相関値が高い前記アンテナ系列を前記最良アンテナ系列として検出することを特徴とする請求項１に記載の受信装置。
【請求項３】
前記検出手段は、
前記直交周波数分割多重信号に対して所定のシンボル期間ごとに挿入されているガードインターバルの間隔に基づいて推定される次の前記ＦＦＴ開始タイミングと、前記ガードインターバルに基づいて実際に検出された次の前記ＦＦＴ開始タイミングとの差分値を算出し、最も差分値が小さい前記アンテナ系列を前記最良アンテナ系列として検出することを特徴とする請求項１に記載の受信装置。
【請求項４】
前記検出手段は、
前記直交周波数分割多重信号に対して所定のシンボル期間ごとに挿入されているガードインターバルの間隔に基づいて推定される次の前記ＦＦＴ開始タイミングと、前記ガードインターバルに基づいて実際に検出された次の前記ＦＦＴ開始タイミングとの差分値を複数の前記シンボル期間にわたって累積し、累積した前記差分値が最も小さい前記アンテナ系列を前記最良アンテナ系列として検出することを特徴とする請求項１に記載の受信装置。
【請求項５】
前記検出手段は、
前記アンテナ系列ごとの信号をアダプティブアレイ方式によって合成することによって得られる代表アンテナ系列を前記最良アンテナ系列として検出することを特徴とする請求項１に記載の受信装置。
【請求項６】
前記適用手段は、
前記最良アンテナ系列以外のアンテナ系列ごとに前記ＦＦＴ開始タイミングを当該アンテナ系列における前記ガードインターバルの検出タイミングに適合させる同期補正を行うことを特徴とする請求項１〜５のいずれか一つに記載の受信装置。
【請求項７】
直交周波数分割多重信号を複数のアンテナでそれぞれ受信し、各アンテナ系列の受信データを合成する受信方法であって、
前記アンテナ系列の中から受信状況が最も良いアンテナ系列を示す最良アンテナ系列を検出する検出工程と、
前記検出工程によって検出された前記最良アンテナ系列からの受信データに基づいてＦＦＴサンプル周波数およびＦＦＴ開始タイミングを取得する取得工程と、
前記取得工程によって取得された前記ＦＦＴサンプル周波数および前記ＦＦＴ開始タイミングを前記最良アンテナ系列以外のアンテナ系列におけるＦＦＴ処理に対して適用する適用工程と
を含んだことを特徴とする受信方法。
【発明の詳細な説明】
【技術分野】
【０００１】
この発明は、直交周波数分割多重信号を複数のアンテナでそれぞれ受信し、各アンテナ系列の受信データを合成する受信装置および受信方法に関し、特に、受信環境の変化に応じて迅速にシンボル同期タイミングを調整することができる受信装置および受信方法に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ここで、送信局などの送信側から送信されるＤＴＶ放送波のサンプリング周波数（ＩＦＦＴ（Inverse  Fast  Fourier  Transform）サンプル周波数）は規格化されているが、使用するクロックの精度に限界があるため所定の周波数ずれが許容されている。一方、受信機などの受信側では、送信側のサンプリング周波数（ＩＦＦＴ周波数）に合わせてＤＴＶ放送波を受信する必要があるが、送信局と同一のクロックを用いることは困難である。
【０００４】
このため、受信側では、ＰＬＬ（Phase  Locked  Loop）を用いた周波数調整が行われている。具体的には、ＤＴＶ放送波は、シンボルと呼ばれるデータ部と、マルチパスなどの遅延によるデータの重なりを防止するためのガードインターバル（ＧＩ）とを交互に含んでいる。ＰＬＬでは、受信側におけるサンプリング周波数（ＦＦＴ（Fast  Fourier  Transform）周波数）と、ＧＩの間隔から実測される１シンボル期間とに差が生じると、サンプリング周波数を早めたり遅めたりする調整を行う。
【０００５】
ところで、上記した車載用ＤＴＶ受信機の場合、車両の速度や向き、車両周辺の環境に応じて受信環境が絶えず変化するので、このような移動環境においても放送波を安定して受信することが求められている。このため、複数のアンテナからの信号を合成したり、受信状態が良好なアンテナからの信号を選択して使用したりするダイバーシティ方式が用いられている。
【０００６】
たとえば、特許文献１には、各アンテナ系列からの信号に基づいてアンテナ系列ごとのシンボル同期タイミングを検出したうえで各シンボル同期タイミングをグループ分けし、メンバー数が最大のグループに属する所定のシンボル同期タイミングを、全アンテナ系列に共通のシンボル同期タイミングとして用いる技術が開示されている。
【０００７】
【特許文献１】特開２００６−２１７２４８号公報
【発明の開示】
【発明が解決しようとする課題】
【０００８】
しかしながら、特許文献１の技術は、各アンテナ系列におけるシンボル同期タイミングをグループ分けする処理を含んでいるため共通のシンボル同期タイミングを決定するまでの処理が複雑であるという問題がある。このため、受信環境が急激に変化した場合などにおける受信状況を迅速に改善することが難しい。
【０００９】
これらのことから、複数のアンテナからの信号を合成する場合に、受信環境の変化に応じて迅速にシンボル同期タイミングを調整することができる車載用ＤＴＶ受信機をいかにして実現するかが大きな課題となっている。なお、かかる課題は、車載用ＤＴＶ受信機に限らず、複数のアンテナを接続可能な受信装置全般に共通して発生する課題である。
【００１０】
この発明は、上述した従来技術による問題点を解消するためになされたものであり、複数のアンテナからの信号を合成する場合に、受信環境の変化に応じて迅速にシンボル同期タイミングを調整することができる受信装置および受信方法を提供することを目的とする。
【課題を解決するための手段】
【００１１】
上述した課題を解決し、目的を達成するため、本発明は、直交周波数分割多重信号を複数のアンテナでそれぞれ受信し、各アンテナ系列の受信データを合成する受信装置であって、前記アンテナ系列の中から受信状況が最も良いアンテナ系列を示す最良アンテナ系列を検出する検出手段と、前記検出手段によって検出された前記最良アンテナ系列からの受信データに基づいてＦＦＴサンプル周波数およびＦＦＴ開始タイミングを取得する取得手段と、前記取得手段によって取得された前記ＦＦＴサンプル周波数および前記ＦＦＴ開始タイミングを前記最良アンテナ系列以外のアンテナ系列におけるＦＦＴ処理に対して適用する適用手段とを備えたことを特徴とする。
【００１２】
また、本発明は、直交周波数分割多重信号を複数のアンテナでそれぞれ受信し、各アンテナ系列の受信データを合成する受信方法であって、前記アンテナ系列の中から受信状況が最も良いアンテナ系列を示す最良アンテナ系列を検出する検出工程と、前記検出工程によって検出された前記最良アンテナ系列からの受信データに基づいてＦＦＴサンプル周波数およびＦＦＴ開始タイミングを取得する取得工程と、前記取得工程によって取得された前記ＦＦＴサンプル周波数および前記ＦＦＴ開始タイミングを前記最良アンテナ系列以外のアンテナ系列におけるＦＦＴ処理に対して適用する適用工程とを含んだことを特徴とする。
【発明の効果】
【００１３】
本発明によれば、アンテナ系列の中から受信状況が最も良いアンテナ系列を示す最良アンテナ系列を検出し、検出された最良アンテナ系列からの受信データに基づいてＦＦＴサンプル周波数およびＦＦＴ開始タイミングを取得し、取得されたＦＦＴサンプル周波数およびＦＦＴ開始タイミングを最良アンテナ系列以外のアンテナ系列におけるＦＦＴ処理に対して適用することとしたので、受信状況が最も良いアンテナ系列のＦＦＴサンプル周波数およびＦＦＴ開始タイミングを他のアンテナ系列へ適用することで、受信環境の変化に応じて迅速にシンボル同期タイミングを調整することができることができるという効果を奏する。
【発明を実施するための最良の形態】
【００１４】
以下に添付図面を参照して、この発明に係る受信装置および受信方法の好適な実施例を説明する。なお、以下では、本発明に係る受信手法の概要について説明した後に、本発明に係る受信手法を適用した受信装置についての実施例を説明することとする。
【００１５】
まず、本発明に係る受信手法の概要について図１を用いて説明する。図１は、本発明に係る受信手法の概要を示す図である。なお、同図には、４本のアンテナにそれぞれ対応するブランチを示している（同図のブランチ（＃１）〜ブランチ（＃４）参照）。ここで、「ブランチ」とは、各アンテナに対応して設けられた受信データ処理用の回路や処理部のことを指す。
【００１６】
本発明に係る受信手法では、各ブランチの中から最も同期が安定しているブランチを最良ブランチとして検出する（同図の（１）参照）。ここで、「同期」とは、受信波に重畳されたデータをＦＦＴ（Fast  Fourier  Transform）処理で取り出す際の、同期合わせのことを指す。
【００１７】
複数のアンテナにそれぞれ対応するブランチを有する場合、各ブランチで処理される受信データには強弱や時間的なずれが発生する。これは、各ブランチに対応するアンテナの向きなどによって、受信する放送波の電界強度がそれぞれ異なるうえ、マルチパスなどの影響の大きさがそれぞれ異なるからである。このため、受信状況が良くないブランチでは、同期タイミングの変動が大きくなり、ＦＦＴ処理における同期をとりづらくなる（同期が不安定となる）。
【００１８】
そこで、本発明に係る受信手法では、複数のブランチの中から最も同期が安定している最良ブランチを検出したうえで、最良ブランチで取得された同期タイミングを他のブランチへ転用することとした。具体的には、最良ブランチのＦＦＴサンプル周波数およびＦＦＴ開始タイミングを取得し（同図の（２）参照）、最良ブランチのＦＦＴサンプル周波数およびＦＦＴ開始タイミングを他のブランチへ適用することとした（同図の（３）参照）。
【００１９】
ここで、「ＦＦＴサンプル周波数」とは、ＦＦＴ処理で連続したデータの中から個々のデータを取り出す際の周期のことを指し、「ＦＦＴ開始タイミング」とは、連続したデータの中から個々のデータの開始点（データ開始位置）を検出するタイミングのことを指す。
【００２０】
なお、各ブランチが同一の放送局から同一の放送波を受信している場合には、すべてのブランチにおけるＦＦＴサンプル周波数は同一の周波数となるはずであるので、最良ブランチのＦＦＴサンプル周波数を、他のブランチのＦＦＴサンプル周波数として用いることができる。
【００２１】
一方、「ＦＦＴ開始タイミング」は、遅延などの影響によって各ブランチでそれぞれ異なるので、最良ブランチのＦＦＴ開始タイミングを他のブランチに対して適用する際には補正（同期補正）を行うことになる。
【００２２】
このように、本発明に係る受信手法によれば、同期が最も安定しているブランチのＦＦＴサンプル周波数およびＦＦＴ開始タイミングを、他のブランチに対して適用することとしたので、受信環境の変化に応じて迅速にシンボル同期タイミングを調整することができる。
【００２３】
以下では、本発明に係る受信手法を適用した受信装置の実施例について説明する。なお、以下の実施例では、４本のアンテナに対応する処理部の組をあらわす「ブランチ」をアンテナと同数備えた受信装置について説明することとする。また、以下の実施例では、自動車などの移動体に設けられる受信装置について示すが、屋内や屋外に設置される受信装置や、携帯電話などのモバイル型受信装置に対して本発明を適用することとしてもよい。
【実施例】
【００２４】
図２は、本実施例に係る受信装置１０の構成を示すブロック図である。同図に示すように、受信装置１０は、アンテナ１〜アンテナ４の４本のアンテナと、とＲＦ（Radio  Frequency）／ＩＦ（Intermediate  Frequency）１００（ＲＦ／ＩＦ１００−１〜ＲＦ／ＩＦ１００−４）を介して接続されている。ここで、各ＲＦ／ＩＦ１００は、対応する各アンテナ（アンテナ１〜アンテナ４）からの信号について検波・増幅を行うデバイスである。
【００２５】
なお、以下では、受信装置１０の構成要素について、アンテナ１に対応する同期検出部１１およびＦＦＴ部１３をブランチ（１）と記載し、同期検出部１１−１およびＦＦＴ部１３−１のようにブランチ番号に対応する枝番を付すこととする。また、アンテナ２、アンテナ３およびアンテナ４に対応する各処理部についても同様の記載を行う。
【００２６】
同図に示すように、受信装置１０は、同期検出部１１と、ＦＦＴ部１３との組を、４つのアンテナ（アンテナ１〜アンテナ４）と同数ずつ備えている。なお、同期検出部１１−１に対応するＦＦＴ部１３はＦＦＴ部１３−１であり、他の同期検出部１１もそれぞれ枝番が同一のＦＦＴ部１３と接続されている。
【００２７】
また、同期検出部１１−１は、ＲＦ／ＩＦ（＃１）１００−１を介してアンテナ１と接続されており、同期検出部１１−２は、ＲＦ／ＩＦ（＃２）１００−２を介してアンテナ２と接続されている。
【００２８】
同様に、同期検出部１１−３は、ＲＦ／ＩＦ（＃３）１００−３を介してアンテナ３と接続されており、同期検出部１１−４は、ＲＦ／ＩＦ（＃４）１００−４を介してアンテナ４と接続されている。
【００２９】
また、受信装置１０は、同期処理部１２と、最大比合成部１４と、ＯＦＤＭ（Orthogonal  Frequency  Division  Multiplexing）復号部１５とを備えており、同期処理部１２は、最良ブランチ検出部１２ａと、同期推定部１２ｂと、同期補正部１２ｃとをさらに備えている。
【００３０】
同期検出部１１−１は、ＲＦ／ＩＦ１００−１から検波・増幅後の信号を受け取り、ＦＦＴ部１３−１が使用するＦＦＴウィンドウのタイミング決定を行う処理部である。ここで、この同期検出部１１−１は、決定したタイミングの補正を同期処理部１２に対して依頼するとともに、決定したタイミングをＦＦＴ部１３−１に対して通知する。
【００３１】
同期処理部１２では、ＦＦＴウィンドウのタイミング補正を行い、補正結果をＦＦＴ部１３へ通知することになる。ここで、同期処理部１２は、すべてのＦＦＴ部１３（ＦＦＴ部１３−１〜ＦＦＴ部１３−４）に対して補正結果を通知することができる。なお、同期検出部１１−２、同期検出部１１−３および同期検出部１１−４についても同期検出部１１−１と同様の処理を行う。
【００３２】
同期処理部１２は、各ブランチ（ブランチ（１）〜ブランチ（４））の同期検出部１１（同期検出部１１−１〜同期検出部１１−４）から、決定されたタイミングを受け取り、最も同期状態が良いブランチ（最良ブランチ）を検出するとともに、最良ブランチに係るＦＦＴサンプル周波数およびＦＦＴ開始タイミングを他のブランチに対して適用する処理を行う処理部である。
【００３３】
最良ブランチ検出部１２ａは、各ブランチ（ブランチ（１）〜ブランチ（４））の中から最も同期状態が良いブランチ（最良ブランチ）を検出する処理を行う処理部である。ここで、この最良ブランチ検出部１２ａが実行する処理の概要について図３〜図５を用いて説明しておく。
【００３４】
図３は、シンボル干渉を示す図である。同図に示すように、各ブランチが受け取るデータは、ＧＩ（ガードインターバル）と、有効シンボル期間とが交互に繰り返されている。ＦＦＴ処理を行う場合に、同図の（Ａ）に示した範囲内でＦＦＴサンプル期間を設定すると、シンボル干渉（シンボル間の干渉）は発生しない。
【００３５】
一方、同図に示す現シンボルと次シンボルにまたがってＦＦＴサンプル期間を設定すると（同図の（Ｂ）参照）、シンボル干渉が発生する。したがって、ＦＦＴサンプル期間を設定する場合には、各シンボルについて、同図の（Ａ）に示した範囲内でＦＦＴサンプル期間を設定していく必要がある。しかし、受信状況が悪いブランチの場合には、信号劣化の影響などによって、同図の（Ｂ）に示したＦＦＴ期間が設定されてしまうことも多くなる。
【００３６】
このため、最良ブランチ検出部１２ａは、図４または図５に示す手法によって最良ブランチを検出する。図４は、ガードインターバルの相関演算に基づく最良ブランチ検出の概要を示す図である。なお、同図の（１）には、ＧＩ（ガードインターバル）の構成について、同図の（２）には、ＧＩ（ガードインターバル）の相関演算について、それぞれ示している。
【００３７】
同図の（１）に示すように、ＧＩ（ガードインターバル）４２は、有効シンボル期間の末尾部分のデータ（同図の４１参照）と同一のデータであり、有効シンボル期間の先頭に付加されている。なお、ＧＩ（ガードインターバル）と有効シンボル期間とを合わせた期間は、シンボル期間と呼ばれる。また、ＧＩ４３は、次の有効シンボル期間の末尾部分データと同一のデータとなる。
【００３８】
そこで、同図の（２）に示すように、最良ブランチ検出部１２ａは、直前のデータを保持信号としたうえで、保持信号のＧＩ４２と、入力信号の有効シンボル期間における末尾部分４４との相関演算を行う。ここで、入力信号の有効シンボル期間における末尾部分４４は、入力信号のＧＩ４３と等しいので、かかる相関演算は、保持信号におけるＧＩ４２と、入力信号におけるＧＩ４３との相関演算と等価である。
【００３９】
そして、相関演算による相関値は、ＣＮ（Carrier  To  Noise）値が高い受信状態では高い値をとり、ＣＮ値が低い受信状態では低い値をとる。したがって、上記した相関演算を各ブランチ（ブランチ（１）〜ブランチ（２））についてそれぞれ行い、各演算値を対比することで、最も高い相関値をもつブランチが判明する。すなわち、最良ブランチ検出部１２ａは、最も高い相関値をもつブランチを最良ブランチとして同期推定部１２ｂへ通知することになる。
【００４０】
ところで、図４では、各ブランチにおけるガードインターバル（ＧＩ）の相関演算結果に基づいて最良ブランチを検出する手法について示したが、他の手法をもちいて最良ブランチを検出することとしてもよい。
【００４１】
図５は、推定値と実測値との変動量に基づく最良ブランチ検出の概要を示す図である。なお、同図には、各シンボルにおけるガードインターバル（ＧＩ）を実際に検出したタイミングを示す「実測値」と、次のシンボルにおけるガードインターバル（ＧＩ）を推定した「推定値」とを示している。
【００４２】
同図の「実測値」に示したように、現シンボルのＧＩを実際に検出したタイミングを「ＦＦＴ開始タイミング（１）」（同図の５１参照）とし、次シンボルのＧＩを実際検出したタイミングを「ＦＦＴ開始タイミング（２）」（同図の５２参照）とする。
【００４３】
ここで、次シンボルのＧＩについて予想される検出タイミングを「推定タイミング」（同図の５３参照）とすると、推定タイミング５３は、ＦＦＴ開始タイミング（１）５１に対して１シンボル期間を加えたタイミングとなる。
【００４４】
最良ブランチ検出部１２ａは、実測値に基づくＦＦＴ開始タイミング（２）５２と、推定タイミング５３を対比し、同図に示す「変動量」を算出する。ここで、変動量は、ＦＦＴ開始タイミング（２）５２と、推定タイミング５３との差分の大きさ、すなわち、差分の絶対値であるものとする。
【００４５】
つづいて、最良ブランチ検出部１２ａは、算出した変動量に基づいて最良ブランチを検出する。たとえば、この最良ブランチ検出部１２ａは、変動量が最も少ないブランチを最良ブランチとして検出する。
【００４６】
また、最良ブランチ検出部１２ａは、所定回数にわたって上記した変動量を累積し、累積結果に基づいて最良ブランチを検出することもできる。具体的には、直近のＮ回（Ｎは正の整数）について変動量の総計値を算出し、算出した総計値が最も少ないブランチを最良ブランチとして検出する。なお、変動量を差分の絶対値とはせず、差分値そのものとしたうえで、正負の値をもつ差分値を足し合わせることで総計値を算出することとしてもよい。
【００４７】
図２の説明に戻り、同期推定部１２ｂについて説明する。同期推定部１２ｂは、最良ブランチ検出部１２ａによって検出された最良ブランチについてのＦＦＴサンプル周波数およびＦＦＴ開始タイミングを取得し、取得したＦＦＴサンプル周波数およびＦＦＴ開始タイミングを同期補正部１２ｃへ渡す処理を行う処理部である。
【００４８】
同期補正部１２ｃは、同期推定部１２ｂから受け取った最良ブランチに係るＦＦＴサンプル周波数およびＦＦＴ開始タイミングを他のブランチに対して適用する同期補正処理を行う処理部である。具体的には、この同期補正部１２ｃは、最良ブランチのＦＦＴサンプル周波数をそのまま他のブランチのＦＦＴサンプル周波数とするように、各ブランチに対応するＦＦＴ部１３に対して指示する。
【００４９】
また、同期補正部１２ｃは、最良ブランチのＦＦＴ開始タイミングを、他のブランチのＦＦＴ開始タイミングに適合させる同期補正処理を併せて行う。たとえば、かかる同期補正処理では、所定時間にわたる実測値に基づいて最良ブランチのＦＦＴ開始タイミングと、他のブランチのＦＦＴ開始タイミングとのずれを取得し、取得したずれを最良ブランチのＦＦＴ開始タイミングと足し合わせることで他のブランチにおける各ＦＦＴ開始タイミングの補正を行う。
【００５０】
ＦＦＴ（Fast  Fourier  Transform）部１３（ＦＦＴ部１３−１〜ＦＦＴ部１３−４）は、同期検出部１１（同期検出部１１−１〜同期検出部１１−４）および同期処理部１２からの信号を入力信号として受け取る。そして、ＦＦＴ部１３は、各ブランチの信号に重畳されたデータをＦＦＴ（Fast  Fourier  Transform；高速フーリエ変換）処理によって取得し、取得したデータを最大比合成部１４に対して出力する処理を行う処理部である。
【００５１】
最大比合成部１４は、各ＦＦＴ部１３（ＦＦＴ部１３−１〜ＦＦＴ部１３−４）からの信号について最大比合成を行い、合成後のデータをＯＦＤＭ復号部１５に対して出力する処理を行う処理部である。ＯＦＤＭ（Orthogonal  Frequency  Division  Multiplexing）復号部１５は、合成後のデータについて復号処理を行ってＴＳ（Transport  Stream）信号を生成し、生成したＴＳ信号をＴＳ出力として外部装置に対して出力する処理を行う処理部である。
【００５２】
次に、受信装置１０が実行する処理手順について図６および図７を用いて説明する。図６は、ガードインターバル（ＧＩ）の相関演算に基づく最良ブランチ検出を行う場合（図４参照）の処理手順を示すフローチャートである。
【００５３】
図６に示すように、最良ブランチ検出部１２ａは、各ブランチ（ブランチ（１）〜ブランチ（４））それぞれについてガードインターバル（ＧＩ）を相関演算する（ステップＳ１０１）。そして、全ブランチについて相関演算が完了したか否かを判定し（ステップＳ１０２）、全ブランチについて完了した場合には（ステップＳ１０２，Ｙｅｓ）、相関値が最も大きいブランチを選択する（ステップＳ１０３）。なお、ステップＳ１０２の判定条件を満たさなかった場合には（ステップＳ１０２，Ｎｏ）、ステップＳ１０２の処理を繰り返す。
【００５４】
つづいて、同期推定部１２ｂは、選択されたブランチ（最良ブランチ）のＦＦＴサンプル周波数およびＦＦＴ開始タイミングを取得する（ステップＳ１０４）。そして、同期補正部１２ｃは、取得したＦＦＴサンプル周波数を、他のブランチのＦＦＴサンプル周波数として用いるように各ＦＦＴ部１３（ＦＦＴ部１３−１〜ＦＦＴ部１３−４）に対して指示する（ステップＳ１０５）。また、同期補正部１２ｃは、取得したＦＦＴ開始タイミングを他のブランチへ適合させる処理を行い（ステップＳ１０６）、処理を終了する。
【００５５】
図７は、推定値と実測値との変動量に基づく最良ブランチ検出を行う場合（図５参照）の処理手順を示すフローチャートである。図７に示すように、最良ブランチ検出部１２ａは、次シンボルのＦＦＴ開始タイミング（実測値）を取得し（ステップＳ２０１）、取得した実測値を予測値と対比する（ステップＳ２０２）。そして、実測値と予測値との差分をとることによって、変動量を取得する（ステップＳ２０３）。
【００５６】
つづいて、変動量を積算し（ステップＳ２０４）、積算のための所定シンボル数に達したか否かを判定する（ステップＳ２０５）。そして、所定シンボル数に達した場合には（ステップＳ２０５，Ｙｅｓ）、各ブランチについて積算値を対比し（ステップＳ２０６）、積算値が最も小さいブランチを最良ブランチとして選択する（ステップＳ２０７）。なお、ステップＳ２０５の判定条件を満たさなかった場合には（ステップＳ２０５，Ｎｏ）、ステップＳ２０１以降の処理を繰り返す。
【００５７】
つづいて、同期推定部１２ｂは、選択されたブランチ（最良ブランチ）のＦＦＴサンプル周波数およびＦＦＴ開始タイミングを取得する（ステップＳ２０８）。そして、同期補正部１２ｃは、取得したＦＦＴサンプル周波数を、他のブランチのＦＦＴサンプル周波数として用いるように各ＦＦＴ部１３（ＦＦＴ部１３−１〜ＦＦＴ部１３−４）に対して指示する（ステップＳ２０９）。また、同期補正部１２ｃは、取得したＦＦＴ開始タイミングを他のブランチへ適合させる処理を行い（ステップＳ２１０）、処理を終了する。
【００５８】
ところで、これまでは、複数のブランチの中から最も同期状態が良いブランチ（最良ブランチ）を検出し、最良ブランチについての同期タイミングを他のブランチに対して適合させる場合について説明してきた。
【００５９】
しかしながら、これに限らず、アダプティブアレイアンテナ処理（以下、「アダプティブアレイ」と記載する）を用いることで、複数のブランチを合成した代表ブランチを生成し、生成した代表ブランチについての同期タイミングを他のブランチに対して適合させることとしてもよい。ここで、アダプティブアレイとは、たとえば、４つのブランチに係るデータについて相関をとり、全体として常に最良の受信状態となるように動的な指向性制御を行う手法のことを指す。
【００６０】
次に、このアダプティブアレイを用いた受信装置１０ａについて説明することとする。図８は、変形例に係る受信装置１０ａの構成を示すブロック図である。なお、以下では、図２に示した受信装置１０と同一の構成要素については同一の符号を付し、説明を省略することとする。
【００６１】
同図に示すように、受信装置１０ａは、同期検出部１１（同期検出部１１−１〜同期検出部１１−４）を備えておらず、同期処理部１２が、アダプティブアレイ部１２ｄを備えている点で図２に示した受信装置１０とは異なる。
【００６２】
アダプティブアレイ部１２ｄは、ＲＦ／ＩＦ（＃１）１００−１、ＲＦ／ＩＦ（＃２）１００−２、ＲＦ／ＩＦ（＃３）１００−３およびＲＦ／ＩＦ（＃４）１００−４から、各ブランチの信号を受け取り、各信号の相関をとることで、最良の受信状態を示す仮想的な代表ブランチを生成する。そして、生成した代表ブランチを同期推定部１２ｂに対して通知する。
【００６３】
同期推定部１２ｂは、アダプティブアレイ部１２ｄから通知された代表ブランチのＦＦＴサンプル周波数およびＦＦＴ開始タイミングを取得する。そして、同期補正部１２ｃは、取得したＦＦＴサンプル周波数を、他のブランチのＦＦＴサンプル周波数として用いるように各ＦＦＴ部１３（ＦＦＴ部１３−１〜ＦＦＴ部１３−４）に対して指示する。また、同期補正部１２ｃは、取得したＦＦＴ開始タイミングを他のブランチへ適合させる処理を行う。
【００６４】
上述してきたように、本実施例では、最良ブランチ検出部が、アンテナ系列の中から受信状況が最も良いアンテナ系列を示す最良アンテナ系列を検出し、同期推定部が、検出された最良アンテナ系列からの受信データに基づいてＦＦＴサンプル周波数およびＦＦＴ開始タイミングを取得し、同期補正部が、取得されたＦＦＴサンプル周波数およびＦＦＴ開始タイミングを最良アンテナ系列以外のアンテナ系列におけるＦＦＴ処理に対して適用するように受信装置を構成した。すなわち、受信状況が最も良いアンテナ系列のＦＦＴサンプル周波数およびＦＦＴ開始タイミングを他のアンテナ系列へ適用することで、受信環境の変化に応じて迅速にシンボル同期タイミングを調整することができることができる。
【産業上の利用可能性】
【００６５】
以上のように、本発明に係る受信装置および受信方法は、受信環境の変化に応じて迅速にシンボル同期タイミングを調整したい場合に適しており、特に、移動体などのように受信状況が変化しやすい環境における放送波の受信に適している。
【図面の簡単な説明】
【００６６】
【図１】本発明に係る受信手法の概要を示す図である。
【図２】本実施例に係る受信装置の構成を示すブロック図である。
【図３】シンボル干渉を示す図である。
【図４】ガードインターバルの相関演算に基づく最良ブランチ検出の概要を示す図である。
【図５】推定値と実測値との変動量に基づく最良ブランチ検出の概要を示す図である。
【図６】ガードインターバルの相関演算に基づく最良ブランチ検出を行う場合の処理手順を示すフローチャートである。
【図７】推定値と実測値との変動量に基づく最良ブランチ検出を行う場合の処理手順を示すフローチャートである。
【図８】変形例に係る受信装置の構成を示すブロック図である。
【符号の説明】
【００６７】
１、２、３、４  アンテナ
１０、１０ａ  受信装置
１１    同期検出部
１２    同期処理部
１２ａ  最良ブランチ検出部
１２ｂ  同期推定部
１２ｃ  同期補正部
１２ｄ  アダプティブアレイ部
１３    ＦＦＴ部
１４    最大比合成部
１５    ＯＦＤＭ復号部
１００    ＲＦ／ＩＦ
【図１】
2010063027.tif 000003
【図２】
2010063027.tif 000004
【図３】
2010063027.tif 000005
【図４】
2010063027.tif 000006
【図５】
2010063027.tif 000007
【図６】
2010063027.tif 000008
【図７】
2010063027.tif 000009
【図８】
2010063027.tif 000010